(57)【要約】      （修正有）【課題】大腸の側面に開けられた開口に取り付けられるのに適する人工肛門装置を提供する。【解決手段】人体９の腸９１に取り付けられる人工肛門装置であって、人体９の皮膚９２に開けられる開口９２０及び該腸９１の側面に開けられる開口９１０を通過して該腸９１の上流側９１１に挿入可能に形成された中空の第１のユニット３と、第１のユニット３に接続されていると共に該腸９１の下流側９１２に挿入可能に形成された第２のユニット４と、を有する。【選択図】図３
0003225119.tif 000002
【実用新案登録請求の範囲】
【請求項１】
人体の腸に取り付けられる人工肛門装置であって、
人体の皮膚に開けられる開口及び該腸の側面に開けられる開口を通過して該腸の前記開口より上流側に挿入可能に形成された中空の第１のユニットと、
前記第１のユニットに接続されていると共に該腸の前記開口より下流側に挿入可能に形成された第２のユニットと、を有し、
前記第１のユニットは、人体に取り付けられた際に該腸の上流側に向かって開口する進入口を有する第１の延伸部と、前記進入口と連通すると共に、人体に取り付けられた際に人体の外部に向かって開口する排出口を有する連通手段と、を有しており、
前記第２のユニットは、前記第１のユニットに接続されていると共に、人体に取り付けられる際、人体の皮膚に開けられる前記開口を経由して前記腸の下流側に挿入して固定される第２の延伸部を有している
ことを特徴とする人工肛門装置。
【請求項２】
前記第１のユニットの前記連通手段は、人体に取り付けられた際に該腸の下流側に臨む接続部を有しており、前記第２の延伸部は前記接続部と一体的に形成されていることを特徴とする請求項１に記載の人工肛門装置。
【請求項３】
前記接続部は前記第２のユニットに隣り合い、且つ前記第２のユニットとの間に挟持空間を画成する挟持面を有するように形成されており、人体に取り付けられた際に該腸の下流側の一部が前記挟持空間に嵌まりこむことにより、前記第２のユニットを前記腸の下流側に固定することができるように構成されることを特徴とする請求項２に記載の人工肛門装置。
【請求項４】
前記第１のユニットは前記連通手段に形成される第１の接続手段を有し、
前記第２のユニットの前記第２の延伸部は、前記第１の接続手段と接続可能な第２の接続手段を有していることを特徴とする請求項１に記載の人工肛門装置。
【請求項５】
前記第１のユニットには、前記第１の延伸部から延伸する第１の挟持ブロックが突起するように形成され、
前記第２のユニットには、前記第２の延伸部から前記第１の挟持ブロック側に向かって延伸する第２の挟持ブロックが突起するように形成されており、
人体に取り付けられる際、該腸の下流側の一部を前記第１の挟持ブロックと前記第２の挟持ブロックとの間に挟むことにより、前記第２のユニットを前記腸の下流側に固定することができるように構成されることを特徴とする請求項４に記載の人工肛門装置。
【請求項６】
前記第１のユニットの前記連通手段には、該連通手段の前記排出口側の先端の外表面から張り出し、人体に取り付けられる際、人体の皮膚に当接して該連通手段の前記排出口側の先端を人体の外部に保持することができる保持フランジが形成されていることを特徴とする請求項１に記載の人工肛門装置。
【請求項７】
前記排出口に取り付けられて該排出口を封止する封止ユニットを更に備えることを特徴とする請求項１に記載の人工肛門装置。
【請求項８】
前記保持フランジに取り付けられて該排出口を封止する封止ユニットを更に備えることを特徴とする請求項６に記載の人工肛門装置。
【請求項９】
前記第１のユニットの外表面から突起するように形成される第１の突起と、前記第２のユニットの外表面から突起するように形成される第２の突起と、を更に有し、前記第１の突起及び前記第２の突起がそれぞれ前記腸の上流側及び下流側の腸壁に当接することにより、前記第１のユニット及び前記第２のユニットを前記腸に固定できることを特徴とする請求項１に記載の人工肛門装置。
【請求項１０】
前記第１の突起と前記第２の突起とは、いずれもらせん状に延伸するように形成されたことを特徴とする請求項９に記載の人工肛門装置。
【考案の詳細な説明】
【技術分野】
【０００１】
本考案は人工肛門装置に関し、特に、大腸の側面に開けられた開口に取り付けられる人工肛門装置に関する。
【背景技術】
【０００２】
図１に従来の人工肛門装置の一例が示されている。
【０００３】
図示のように、該人工肛門装置２は、人体１２の皮膚に開口１２０を開けて、腸１１を切断して、切断された腸１１の下流側にある開口１１０に取り付けるものであり、腸１１内に挿入される第１の固定部２１と、人体１２の開口１２０外に露出している第２の固定部２２とを有することにより人体１２に固定され、腸１１を通過する排泄物を排出する構成になっている。
【０００４】
一方、図２に示されるような、腸１１を切断する必要はなく、腸１１の側面側に開口１１９を作って取り付ける場合には、図１に示される人工肛門装置を人体１２の皮膚に開けた開口１２０に取り付けても、腸を通過する排泄物が全ては開口１１９から排出されないという問題点がある。
【考案の概要】
【考案が解決しようとする課題】
【０００５】
上記問題点に鑑みて、本考案は、大腸の側面に開けられた開口に取り付けられるのに適する人工肛門装置の提供を目的とする。
【課題を解決するための手段】
【０００６】
上記目的に達成すべく、本考案は、人体の腸に取り付けられる人工肛門装置であって、人体の皮膚に開けられる開口及び該腸の側面に開けられる開口を通過して該腸の前記開口より上流側に挿入可能に形成された中空の第１のユニットと、前記第１のユニットに接続されていると共に該腸の前記開口より下流側に挿入可能に形成された第２のユニットと、を有し、前記第１のユニットは、人体に取り付けられた際に該腸の上流側に向かって開口する進入口を有する第１の延伸部と、前記進入口と連通すると共に、人体に取り付けられた際に人体の外部に向かって開口する排出口を有する連通手段と、を有しており、
前記第２のユニットは、前記第１のユニットに接続されていると共に、人体に取り付けられる際、人体の皮膚に開けられる前記開口を経由して前記腸の下流側に挿入して固定される第２の延伸部を有していることを特徴とする人工肛門装置を提供する。
【考案の効果】
【０００７】
上記構成により、本考案の人工肛門装置は、人体の腸の上流側に挿入可能に形成された中空の第１のユニットと、前記第１のユニットに接続されていると共に該腸の下流側に挿入可能に形成された第２のユニットと、を有するので、大腸の側面に開けられた開口に取り付けられる際、腸の上流側からの排泄物は腸の下流側に進入することなく、中空の第１のユニットを経由して全部排出することができる。
【図面の簡単な説明】
【０００８】
【図１】従来の人工肛門装置の一例が装着される様子が示される断面図である。
【図２】大腸の側面に開口が開けられている様子が示される断面図である。
【図３】本考案の人工肛門装置の第１の実施形態が装着される様子が示される断面図である。
【図４】本考案の人工肛門装置の第１の実施形態が装着される方法が示される説明図である。
【図５】本考案の人工肛門装置の第２の実施形態が装着される様子が示される断面図である。
【図６】本考案の人工肛門装置の第３の実施形態が装着される様子が示される断面図である。
【図７】本考案の人工肛門装置の第４の実施形態が装着される様子及び装着方法が示される説明図である。
【図８】本考案の人工肛門装置の第５の実施形態が装着される方法が示される説明図である。
【図９】本考案の人工肛門装置の第５の実施形態が装着される様子が示される説明図である。
【図１０】本考案の人工肛門装置の第６の実施形態が装着される様子が示される説明図である。
【図１１】本考案の人工肛門装置の第７の実施形態が装着される様子及び装着方法が示される説明図である。
【考案を実施するための形態】
【０００９】
以下は各図面を参照して、本考案の人工肛門装置について説明する。
【００１０】
図３は本考案の人工肛門装置の第１の実施形態が装着される様子が示される断面図である。図示のように、本考案の人工肛門装置の第１の実施形態は、人体９の腸９１（例えば大腸）に取り付けられる人工肛門装置であって、該腸９１の側面に開けられる開口９１０及び人体９の皮膚９２に開けられる開口９２０を通過して該腸９１の開口９１０より上流側９１１に挿入可能に形成された中空の第１のユニット３と、第１のユニット３に接続されていると共に該腸９１の開口９１０より下流側９１２に挿入可能に形成された中実の第２のユニット４と、を有するように構成されている。
【００１１】
第１のユニット３は、人体９に取り付けられた際に該腸９１の上流側９１１に向かって開口する進入口３１０を有する第１の延伸部３１と、進入口３１０と連通すると共に、人体９に取り付けられた際に人体の皮膚９２に開けられる開口９２０を経由して人体９の外部に向かって開口する排出口３２０を有する連通手段３２と、を有するように構成されている。
【００１２】
第２のユニット４は、第１のユニット３に接続されていると共に、人体９に取り付けられる際、人体９の皮膚９２に開けられる開口９２０を経由して腸９１の下流側９１２に挿入して固定される第２の延伸部４１を有している。
【００１３】
この第１の実施形態において、第１のユニット３の連通手段３２は、人体９に取り付けられる際、該腸９１の下流側９１２に臨む接続部３２２を有しており、第２の延伸部４１は接続部３２２と一体的に形成されている。
【００１４】
また、この第１の実施形態において、接続部３２２は第２のユニット４に隣り合い、且つ第２のユニット４との間に挟持空間３２３を画成する挟持面３２４を有するように形成されており、人体９に取り付けられる際、該腸９１の下流側９１２の一部９１９を挟持空間３２３内に嵌めこませることにより、第２のユニット４を腸９１の下流側９１２に固定することができるように構成されている。
【００１５】
また、この実施形態において、該人工肛門装置は排出口３２０に取り付けられて該排出口３２０を封止する封止ユニット５を更に備えている。この実施形態において、封止ユニット５はキャップ状に形成されていると共に、内側にガーゼ（図示せず）が取り付けられている。封止ユニット５を更に備えることにより、細菌なとによる感染症の発生を抑えることができる。
【００１６】
ちなみに、この実施形態において、第１のユニット３及び第２のユニット４は、変形可能なシリコーン材料を用いて作成されており、これにより、人体９に取り付けられる際、人体に与える不快感を軽減することができる。
【００１７】
図４は本考案の人工肛門装置の第１の実施形態が装着される方法が示される説明図である。
【００１８】
本考案の人工肛門装置の第１の実施形態を人体９に取り付ける際、まずは図４（ａ）に示されているように、第１のユニット３の第１の延伸部３１を腸９１の上流側９１１に挿入し、そして第２のユニット４の第２の延伸部４１を腸９１の下流側９１２に挿入するように設置する。
【００１９】
続いて、図４（ｂ）に示されているように、伸縮可能な腸９１の上流側９１１と下流側９１２とを互いに離間させるように伸張させながら、第１のユニット３と第２の延伸部４１とを変形させて、第２のユニット４と挟持面３２４との間に画成される挟持空間３２３を広くしてから、図４（ｃ）に示されているように、伸縮可能な腸９１の上流側９１１と下流側９１２とを互いに離間させるように伸張させる外力を解除すると、伸縮可能な腸９１の上流側９１１と下流側９１２とが接近すると共に、該腸９１の下流側９１２の一部９１９が挟持空間３２３内に嵌まりこむようになり、これにより第２のユニット４が腸９１の下流側９１２に固定される。
【００２０】
図５は本考案の人工肛門装置の第２の実施形態が装着される様子が示される断面図である。図示のように、本考案の人工肛門装置の第２の実施形態は、第１の実施形態に類似する構成になっているが、この第２の実施形態において、第１のユニット３の連通手段３２には、該連通手段３２の排出口３２０側の先端の外表面から張り出し、人体９に取り付けられる際、人体９の皮膚９２に当接して該連通手段３２の排出口３２０側の先端を人体９の外部に保持することができる保持フランジ３５が形成されている。
【００２１】
また、この実施形態において、排出口を封止する封止ユニット５は、排出口３２０ではなく保持フランジ３５に取り付けられるものである。
【００２２】
図６は本考案の人工肛門装置の第３の実施形態が装着される様子が示される断面図である。図示のように、本考案の人工肛門装置の第３の実施形態は、第２の実施形態に類似する構成になっているが、この第３の実施形態において、封止ユニット５はパウチ５００を有するように形成され、面板としての保持フランジ３５に取り付けられる。
【００２３】
図７は本考案の人工肛門装置の第４の実施形態が装着される様子及び装着方法が示される説明図である。図７（ａ）に示されるように、本考案の人工肛門装置の第４の実施形態は、第１の実施形態に類似する構成になっているが、この第４の実施形態において、第１のユニット３は、その外表面から突起してらせん状に延伸するように形成される第１の突起３９を更に有し、また、第２のユニット４も同様に、その外表面から突起してらせん状に延伸するように形成される第２の突起４９を更に有している。第１の突起３９及び第２の突起４９がそれぞれ腸９１の上流側９１１及び下流側９１２の腸壁に僅かに食い込むように当接することにより、第１のユニット３及び第２のユニット４を腸９１に固定することができる。
【００２４】
このように、第１の突起３９及び第２の突起４９を用いることにより、第１のユニット３及び第２のユニット４が腸９１に固定される安定性を高めることができると共に、第１の突起３９及び第２の突起４９がそれぞれ腸９１の上流側９１１及び下流側９１２において腸壁に刺激を与えることにより、腸９１に対して按摩効果が働き、人工肛門装置が取り外された後の回復を早めることができる。
【００２５】
更に、本実施形態においても、装着の際には、図７（ｂ）に示されているように、伸縮可能な腸９１の上流側９１１と下流側９１２とを互いに離間させるように伸張させながら、第１のユニット３と第２の延伸部４１とを変形させて、第２のユニット４と挟持面３２４との間に画成される挟持空間３２３を広くしてから、図７（ｃ）に示されているように、伸縮可能な腸９１の上流側９１１と下流側９１２とを互いに離間させるように伸張させる外力を解除すると、伸縮可能な腸９１の上流側９１１と下流側９１２とが接近すると共に、該腸９１の下流側９１２の一部９１９が挟持空間３２３内に嵌まりこむようになり、これにより第２のユニット４が腸９１の下流側９１２に固定される。
【００２６】
図８は本考案の人工肛門装置の第５の実施形態が装着される方法が示される説明図である。図示のように、本考案の人工肛門装置の第５の実施形態は、第２の実施形態に類似する構成になっているが、この第５の実施形態において、第１のユニット３と第２のユニット４は、個別に作成されたものであると共に、第１のユニット３は連通手段３２に形成される第１の接続手段３３を有し、第２のユニット４の第２の延伸部４１は、第１の接続手段３３と接続可能な第２の接続手段４２を有するように作成されている。第１の接続手段３３と第２の接続手段４２としては、例えばスナップボタンや、互いに吸い付く磁石を用いることができる。
【００２７】
更に、第１のユニット３には、第１の延伸部３１から延伸する第１の挟持ブロック３４が突起するように形成され、第２のユニット４には、第２の延伸部４１から第１の挟持ブロック３４側に向かって延伸する第２の挟持ブロック４３が突起するように形成されている。
【００２８】
本考案の人工肛門装置の第５の実施形態を人体９に取り付ける際、まずは図８（ａ）に示されているように、第１のユニット３の第１の延伸部３１を腸９１の上流側９１１に挿入し、そして第２のユニット４の第２の延伸部４１を腸９１の下流側９１２に挿入して、図８（ｂ）に示される状態になるように設置する。
【００２９】
続いて、図８（ｃ）に示されるように、第２のユニット４に形成される第２の接続手段４２と第１のユニット４に形成される第１の接続手段３３とを接続しながら、腸９１の下流側９１２の一部９１９を第１の挟持ブロック３４と第２の挟持ブロック４３との間に挟むことにより、第２のユニット４を腸９１の下流側に固定することができる。
【００３０】
また、図９に示されるように、本実施形態においても、該人工肛門装置は、キャップ状に形成されて排出口３２０に取り付けられて該排出口３２０を封止する封止ユニット５を更に備えることもできる。
【００３１】
図１０は本考案の人工肛門装置の第６の実施形態が装着される様子が示される説明図であり、図示のように、本考案の人工肛門装置の第６の実施形態は、第５の実施形態に類似する構成になっているが、この第６の実施形態において、封止ユニット５はパウチ５００を有するように形成され、面板としての保持フランジ３５に取り付けられる。
【００３２】
図１１は本考案の人工肛門装置の第７の実施形態が装着される様子及び装着方法が示される説明図である。図示のように、本考案の人工肛門装置の第７の実施形態は、第４の実施形態に類似する構成になっているが、この第７の実施形態において、第１のユニット３と第２のユニット４は、個別に作成されたものであると共に、第１のユニット３は連通手段３２に形成される第１の接続手段３３を有し、第２のユニット４の第２の延伸部４１は、第１の接続手段３３と接続可能な第２の接続手段４２を有するように作成されている。第１の接続手段３３と第２の接続手段４２としては、例えばスナップボタンや、互いに吸い付く磁石を用いることができる。
【００３３】
更に、第１のユニット３には、第１の延伸部３１から延伸する第１の挟持ブロック３４が突起するように形成され、第２のユニット４には、第２の延伸部４１から第１の挟持ブロック３４側に向かって延伸する第２の挟持ブロック４３が突起するように形成されている。
【００３４】
本考案の人工肛門装置の第７の実施形態を人体９に取り付ける際、まずは図１１（ａ）に示されているように、第１のユニット３の第１の延伸部３１を腸９１の上流側９１１に挿入し、そして第２のユニット４の第２の延伸部４１を腸９１の下流側９１２に挿入して、図１１（ｂ）に示される状態になるように設置する。
【００３５】
続いて、図１１（ｃ）に示されるように、第２のユニット４に形成される第２の接続手段４２と第１のユニット４に形成される第１の接続手段３３とを接続しながら、腸９１の下流側９１２の一部９１９を第１の挟持ブロック３４と第２の挟持ブロック４３との間に挟むことにより、第２のユニット４を腸９１の下流側に固定する。
【００３６】
更に、本実施形態でも、第４の実施形態と同様に第１の突起３９及び第２の突起４９を用いることにより、第１のユニット３及び第２のユニット４が腸９１に固定される安定性を高めることができると共に、第１の突起３９及び第２の突起４９がそれぞれ腸９１の上流側９１１及び下流側９１２において腸壁に刺激を与えることにより、腸９１に対して按摩効果が働き、人工肛門装置が取り外された後の回復を早めることができる。
【００３７】
以上、本考案の好ましい実施形態を説明したが、本考案はこれらに限定されるものではなく、最も広い解釈の精神および範囲内に含まれる様々な構成として、全ての修飾および均等な構成を包含するものとする。
【産業上の利用可能性】
【００３８】
上記構成により、本考案の人工肛門装置は、人体の腸の上流側に挿入可能に形成された中空の第１のユニットと、前記第１のユニットに接続されていると共に該腸の下流側に挿入可能に形成された中実の第２のユニットと、を有するので、大腸の側面に開けられた開口に取り付けられる際、腸の上流側からの排泄物は腸の下流側に進入することなく、中空の第１のユニットを経由して全部排出することができる。
【符号の説明】
【００３９】
３  第１のユニット
３１  第１の延伸部
３１０  進入口
３２０  排出口
３２  連通手段
３２２  接続部
３２３  挟持空間
３２４  挟持面
３３  第１の接続手段
３４  第１の挟持ブロック
３５  保持フランジ
３９  第１の突起
４  第２のユニット
４１  第２の延伸部
４２  第２の接続手段
４３  第２の挟持ブロック
４９  第２の突起
５  封止ユニット
５００  パウチ
９  人体
９１   腸
９１０  開口
９１１  上流側
９１２  下流側
９１９  腸の一部
９２   皮膚
９２０  開口
【図１】
0003225119.tif 000003
【図２】
0003225119.tif 000004
【図３】
0003225119.tif 000005
【図４】
0003225119.tif 000006
【図５】
0003225119.tif 000007
【図６】
0003225119.tif 000008
【図７】
0003225119.tif 000009
【図８】
0003225119.tif 000010
【図９】
0003225119.tif 000011
【図１０】
0003225119.tif 000012
【図１１】
0003225119.tif 000013